(57)【要約】【課題】バネ駆動の開放補助手段を有していたとしてもデザイン性を確保しつつ、使い勝手の良い開放補助手段付きキャビネットを提供すること。【解決手段】キャビネットは、固定枠体と、前記固定枠体に可動可能に設けられた引出しと、前記引出しが閉止した状態で蓄積されているバネ力を動力源として、前記引出しの開放を補助する開放補助手段と、前記開放補助手段が前記バネ力を蓄積したロック状態を保持するロック手段と、キャビネット外部に露出する部分が触れられる操作により、前記ロック手段による前記ロック状態を解除して、前記開放補助手段を起動する始動スイッチと、を備えている。【選択図】図３
2020032042.tif 000002
【特許請求の範囲】
【請求項１】
固定枠体と、
前記固定枠体に可動可能に設けられた引出しと、
前記引出しが閉止した状態で蓄積されているバネ力を動力源として、前記引出しの開放を補助する開放補助手段と、
前記開放補助手段が前記バネ力を蓄積したロック状態を保持するロック手段と、
キャビネット外部に露出する部分が触れられる操作により、前記ロック手段による前記ロック状態を解除して、前記開放補助手段を起動する始動スイッチと、
を備えたキャビネット。
【請求項２】
前記始動スイッチは、前記引出しの取っ手に設けられている請求項１記載のキャビネット。
【請求項３】
前記始動スイッチは、前記引出しの前記取っ手と一体に構成されている請求項２記載のキャビネット。
【請求項４】
前記始動スイッチが前記操作された際において、所定条件を満たす場合のみ前記開放補助手段を起動する電気的制御を行う制御ユニットをさらに備えた請求項１〜３のいずれか１つに記載のキャビネット。
【請求項５】
前記始動スイッチは、前記引出しの閉止時のみ、前記ロック手段に前記ロック状態を解除する信号を送信する請求項１〜４のいずれか１つに記載のキャビネット。
【請求項６】
前記始動スイッチは、前記引出しの扉に設けられ、
前記引出しの背面部に設けられ、前記始動スイッチおよび前記ロック手段と電気的に接続された第１の電気接点と、前記第１の電気接点に対向する前記固定枠体の前面部に設けられ、電源と接続された第２の電気接点とが、前記引出しの閉止時には互いに接し、前記引出しの開放時には互いに離間する請求項５に記載のキャビネット。
【発明の詳細な説明】
【技術分野】
【０００１】
本発明は、キャビネットに関する。
【背景技術】
【０００２】
従来、ユーザの押圧操作に応じて引出しのロックが解除され引出しが開放する機構を備えたキャビネットが知られている。例えば、特許文献１のような、閉じる方向に押圧操作することによりロックが解除され、バネにより引出しの開放を補助する開放補助手段が作動する構成が知られている。
【先行技術文献】
【特許文献】
【０００３】
【特許文献１】特表２０１６−５１４５７４号公報
【発明の概要】
【発明が解決しようとする課題】
【０００４】
しかしながら、特許文献１のような構成では、引出しを開放する際に開放補助手段のロックを解除するためには、引出しに押圧操作を加える必要があり、使い勝手に優れない。また、引出しを開放するための押しボタンを付けることも考えられるが、デザイン性に優れない。
【０００５】
そこで、本発明は、バネ駆動の開放補助手段を有していたとしてもデザイン性を確保しつつ、使い勝手の良い開放補助手段付きキャビネットを提供することを目的とする。
【課題を解決するための手段】
【０００６】
第１の発明のキャビネットは、固定枠体と、前記固定枠体に可動可能に設けられた引出しと、前記引出しが閉止した状態で蓄積されているバネ力を動力源として、前記引出しの開放を補助する開放補助手段と、前記開放補助手段が前記バネ力を蓄積したロック状態を保持するロック手段と、キャビネット外部に露出する部分が触れられる操作により、前記ロック手段による前記ロック状態を解除して、前記開放補助手段を起動する始動スイッチと、を備えている。  
第１の発明によれば、バネ力を動力源とする開放補助手段を採用しつつも、利用者のタッチ操作により開放補助手段が起動するため、操作性に優れる。利用者が引出しを開ける際に引出しに押圧操作を加える必要がない。また、始動スイッチにタッチセンサを採用することで、押しボタン特有のＯＮ／ＯＦＦに応じた凹凸状態の変化がなくデザイン性に優れる。  
第２の発明は、第１の発明において、前記始動スイッチは、前記引出しの取っ手に設けられている。  
第２の発明によれば、引出しの開放をアシストする開放補助手段を始動させる始動スイッチの存在を直感的に利用者に認識させるとともに、引出しを開ける際に、始動スイッチ操作だけのための工程を抑制し利用者が取っ手を把持した手の位置を変えずに引出しを開放することが可能になり、使い勝手が良い。  
第３の発明は、第２の発明において、前記始動スイッチは、前記引出しの前記取っ手と一体に構成されている。  
第３の発明によれば、引出しを開けるときに、取っ手に手をかけた瞬間から引出しの開放補助が作動するので、自然な動作で引出し開放のアシスト力が得られる。  
第４の発明は、第１〜第３の発明のいずれか１つにおいて、前記始動スイッチが前記操作された際において、所定条件を満たす場合のみ前記開放補助手段を起動する電気的制御を行う制御ユニットをさらに備えている。  
第４の発明によれば、引出しの閉止時に意図せず利用者が始動スイッチに触れた際に、引出しが誤って開いてしまうのを防止できる。  
第５の発明は、第１〜第４の発明のいずれか１つにおいて、前記始動スイッチは、前記引出しの閉止時のみ、前記ロック手段に前記ロック状態を解除する信号を送信する。  
第５の発明によれば、開放補助手段を起動させる必要がない引出し開放時に、利用者が始動スイッチを意図せず触れてしまっても、開放補助手段が起動することを防止できる。
第６の発明は、第５の発明において、前記始動スイッチは、前記引出しの扉に設けられ、前記引出しの背面部に設けられ、前記始動スイッチおよび前記ロック手段と電気的に接続された第１の電気接点と、前記第１の電気接点に対向する前記固定枠体の前面部に設けられ、電源と接続された第２の電気接点とが、前記引出しの閉止時には互いに接し、前記引出しの開放時には互いに離間する。ここで、引出しの背面部は、引出しの構成要素の背面を表し、例えば、扉の背面、または背板の背面である。また、固定枠体の前面部は、固定枠体の構成要素の前面を表し、例えば、側板の前面、または裏板の前面である。  
第６の発明によれば、引出しの開閉に連動する電気接点の接続／離間という簡易な構成で引出し開放時における開放補助手段の意図しない起動を抑制でき、使い勝手を良くできる。
【発明の効果】
【０００７】
本発明によれば、バネ駆動の開放補助手段を有していたとしてもデザイン性を確保しつつ、使い勝手の良い開放補助手段付きキャビネットを提供することができる。
【図面の簡単な説明】
【０００８】
【図１】実施形態に係るキャビネットの斜視図である。
【図２】実施形態に係る固定枠体の斜視図である。
【図３】実施形態に係るキャビネットにおける引出し閉止状態の模式断面図である。
【図４】実施形態に係るキャビネットにおける引出し開放途中の模式断面図である。
【図５】実施形態に係るキャビネットにおける引出し開放状態の模式断面図である。
【図６】他の実施形態に係るキャビネットの模式断面図である。
【図７】始動スイッチの変形例を表す模式断面図である。
【図８】さらに他の実施形態に係るキャビネットの模式断面図である。
【発明を実施するための形態】
【０００９】
以下、添付図面を参照しながら本発明の実施の形態について説明する。説明の理解を容易にするため、各図面において同一の構成要素に対しては可能な限り同一の符号を付して、重複する説明は省略する。
【００１０】
図１は、実施形態に係るキャビネット１の斜視図である。
【００１１】
キャビネット１は、固定枠体１０と、固定枠体１０に可動可能に設けられた引出し２０とを有する。
【００１２】
図２は、図１に示す天板１１を取り外した状態の固定枠体１０の斜視図である。
【００１３】
固定枠体１０は、天板１１（図１に示す）と、底板１２と、裏板１３と、２つの側板１４とを有する。固定枠体１０は、それら天板１１、底板１２、裏板１３、および２つの側板１４で囲まれた空間を有し、引出し２０はその空間内に収納可能となっている。
【００１４】
固定枠体１０の前面は開放され開口１６が形成されている。その開口１６を通じて、引出し２０がスライド自在に固定枠体１０に取り付けられる。引出し２０のスライドは、側板１４の内面に設けられたスライドレール１７によってガイドされる。
なお、本願明細書において、「前方」とは、引出し２０が固定枠体１０から引き出される方向を指しており、「後方」とは、引出し２０が固定枠体１０へ収納される方向を指している。
【００１５】
図３は、キャビネット１の模式断面図である。図３は、固定枠体１０の内部に引出し２０が収納された引出し閉止状態を表す。
図４は、固定枠体１０から引出し２０が引き出される途中の状態の模式断面図である。
図５は、固定枠体１０から引出し２０が引き出された引出し開放状態の模式断面図である。
【００１６】
引出し２０は、扉２１と、背板２２と、底板２３と、２つの側板２４とを有し、上面は開放されている。
【００１７】
引出し２０の底板２３と、固定枠体１０の底板１２との間のスペースに、開放補助手段３０が設けられている。開放補助手段３０は、バネ３１と、バネ取付部材３４と、ピン３３とを有する。
開放補助手段３０は、引出し２０の閉止位置近傍において、引出し２０を後方へ引き込もうとする閉止アシスト手段に対し、閉止アシスト手段の付勢力に対して、引出し２０を前方へ押し出す手段のことを指す。
【００１８】
バネ３１の一端部は、引出し２０の背板２２の下端部に設けられたバネ取付部２２ａに取り付けられている。バネ３１の他端部は、バネ取付部材３４に取り付けられている。バネ３１は、引出し２０のスライド方向に沿って伸縮自在となっている。
【００１９】
バネ取付部材３４は、ベース部３４ｃと、第１突出部３４ａと、第２突出部３４ｂとを有する。ベース部３４ｃは、引出し２０の底板２３の下面に平行に設けられ、引出し２０の底板２３に対して相対的にスライド可能となっている。
第１突出部３４ａはバネ３１と第２突出部３４ｂとの間に位置し、バネ３１の前記他端部が第１突出部３４ａに取り付けられている。バネ取付部材３４は、バネ３１の伸縮に追従して、引出し２０のスライド方向に沿って移動可能となっている。バネ３１の一端部は引出し２０に固定されているのに対して、バネ３１の他端部およびバネ取付部材３４は、引出し２０に対して相対的にスライド可能となっている。
【００２０】
固定枠体１０の底板１２に、ピン３３が設けられている。ピン３３は底板１２に対して固定されている。ピン３３は、底板１２の上面から上方に突出している。バネ取付部材３４の第２突出部３４ｂは、ピン３３と、引出し２０の扉２１との間をスライド可能となっている。
【００２１】
バネ取付部材３４の第２突出部３４ｂは、ベース部３４ｃから下方に突出している。固定枠体１０の底板１２の上面を基準にして、ピン３３の上端は、バネ取付部材３４の第２突出部３４ｂの下端よりも上方の高さに位置する。すなわち、バネ取付部材３４の第２突出部３４ｂの下端は、ピン３３の上端よりも下方に位置する。
【００２２】
例えば引出し２０の底板２３に、ロック手段４０が設けられている。ロック手段４０は、例えば電力を動力源にするラッチであり、引出し２０の底板２３の下面の下方に突出することができる。
【００２３】
固定枠体１０の裏板１３の前面に電源ユニット８０が設けられている。電源ユニット８０は、商用電源と接続可能であり、商用電源の交流電力を直流電力に変換する。
【００２４】
ロック手段４０は、始動スイッチ６０の信号を受けて作動する。始動スイッチ６０は、利用者の操作を検知する検知部６１を有する。また、始動スイッチ６０は、検知部６１の操作信号の入力を受け、ロック手段４０に制御信号を出力する制御ユニット７４を有する。この際、始動スイッチ６０からの信号は、電気信号でなくてもよい。
【００２５】
検知部６１は、利用者が操作しやすいように、キャビネット１の外部に露出して設けられている。例えば、検知部６１は、引出し２０の扉２１に設けられた取っ手に設けられている。例えば、検知部６１は、取っ手と一体に構成され、扉２１の上端部で扉２１の幅方向に延在している。
【００２６】
検知部６１は、引出し２０の扉２１の前面に重なる部分を有する。検知部６１が取っ手を兼ねる場合、扉２１の前面に重なる部分と扉２１の前面との間に隙間を設けると、利用者はその隙間に指先を入れて取っ手（検知部６１）に指を引っ掛けることができる。また、検知部６１は、扉２１の背面に露出する部分も有する。
【００２７】
検知部６１は、例えば、利用者が触れることで電気信号が発生するタッチセンサを有する。このタッチセンサは、例えば、指先を検知部６１に近づける、または触れると、指先を通じて静電容量が変化する静電式センサである。または、タッチセンサは、加えられた力を電圧に変換する圧電素子を有する圧電式センサであってもよい。
【００２８】
検知部６１は、第１の電気接点７１、第２の電気接点７２、電気配線７３、制御ユニット７４、および電気配線８１を通じて、電源ユニット８０と電気的に接続可能となっている。
【００２９】
第１の電気接点７１は、図４、５に示すように、引出し２０の扉２１の背面に露出する検知部６１の背面に設けられている。第２の電気接点７２は、第１の電気接点７１に対向するように、固定枠体１０の側板１４の前面に設けられている。
【００３０】
電気配線７３、制御ユニット７４、および電気配線８１は、例えば固定枠体１０の側板１４に設けられている。
【００３１】
第２の電気接点７２は、電気配線７３によって、制御ユニット７４と電気的に接続されている。制御ユニット７４は、電気配線８１によって、電源ユニット８０と電気的に接続されている。制御ユニット７４は電気配線８１を通じて、電源ユニット８０から電力の供給を受ける。
【００３２】
ロック手段４０は、電気配線７５を通じて、第１の電気接点７１と電気的に接続されている。電気配線７５は、引出し２０に設けられている。ロック手段４０は、電気配線８１、制御ユニット７４、電気配線７３、第２の電気接点７２、第１の電気接点７１、および電気配線７５を通じて、電源ユニット８０から電力の供給を受ける。
【００３３】
検知部６１が利用者に触れられることで発生する電気信号は、第１の電気接点７１、第２の電気接点７２、および電気配線７３を通じて、制御ユニット７４に伝達する。制御ユニット７４は、この信号（操作信号）を受けて、ロック手段４０を作動させる信号（ロック解除信号）を、電気配線７３、第２の電気接点７２、第１の電気接点７１、および電気配線７５を通じて、ロック手段４０に送る。
【００３４】
図３に示す引出し２０の閉止状態において、開放補助手段３０のバネ３１は自然状態から伸ばされた状態にあり、自然状態に戻ろうとする（縮もうとする）復元力が発生している。このようなバネ３１の復元力によって、バネ取付部材３４には図３において左方に移動する力が働いている。これをロック手段４０がバネ取付部材３４の第１突出部３４ａに当接することで阻止し、バネ３１のバネ力（復元力）が蓄積された状態（ロック状態）が保持されている。
【００３５】
このような引出し２０が閉止した状態で蓄積されているバネ力を動力源として、開放補助手段３０は引出し２０の開放を補助する。
【００３６】
第２の電気接点７２は固定側の要素である固定枠体１０に設けられているのに対し、第１の電気接点７１は可動側の要素である引出し２０の扉２１に設けられている。したがって、引出し２０の開閉に連動して、第１の電気接点７１と第２の電気接点７２とは互いに接続または離間する。
【００３７】
図３に示す引出し２０の閉止時のみ、第１の電気接点７１と第２の電気接点７２とが互いに接続される。この状態で、利用者が引出し２０を開けるために取っ手を兼ねた検知部６１に触れると、この操作信号が制御ユニット７４に伝達する。この操作信号を受けて、制御ユニット７４はロック解除信号をロック手段４０に送り、例えばラッチであるロック手段４０は引出し２０の底板２３の下面から突出した状態から、上方に引っ込む。
【００３８】
ロック手段４０とバネ取付部材３４との当接が解除され、バネ３１は復元力により縮む。これに伴いバネ取付部材３４は図３において左方に移動し、第２突出部３４ｂがピン３３に当接すると、バネ３１はピン３３に向かう方向に縮む。このバネ３１が縮もうとする力によって、引出し２０は図４に示すように前方へ押し出される。ロック手段４０によるロック状態が解除された後、バネ取付部材３４はバネ３１が縮むのに伴い、引出し２０に対して相対的に後方（背板２２に近づく方向）へとスライドする。引出し２０の開放動作に伴い、図４および図５に示すように、ロック手段４０とバネ取付部材３４との相対的位置がずれていく。
【００３９】
図４および図５に示すように、引出し２０が固定枠体１０から引き出されると、引出し２０に設けられた第１の電気接点７１が、固定枠体１０に設けられた第２の電気接点７２から離間し、検知部６１は制御ユニット７４および電源ユニット８０と電気的に遮断される。この状態では、利用者が検知部６１に触れても、開放補助手段３０は起動しない。
【００４０】
したがって、開放補助手段３０を起動させる必要がない引出し開放時に、利用者が検知部６１を意図せず触れてしまっても、開放補助手段３０が起動することを防止できる。このような開放補助手段３０の無駄な動作の抑制は、開放補助手段３０にかかる負荷を低減させ、耐久性を向上させる。また、無駄な電力消費も抑制できる。
【００４１】
また、実施形態によれば、引出し２０の開閉に連動して、検知部６１の操作信号の発生の有無が行われる構成であるため、引出し２０の開閉状態を検知する開閉状態検知センサなどを別途設けることが不要となる。引出し２０の開閉に連動する電気接点の接続／離間という簡易な構成で引出し開放時における開放補助手段３０の意図しない起動を抑制でき、使い勝手を良くできる。
【００４２】
図５に示す引出し２０の開放状態においてバネ３１は最も縮んだ状態にある。その開放状態から、利用者が引出し２０の取っ手を兼ねた検知部６１または扉２１の前面を手で押して引出し２０を閉める動作を行うと、バネ取付部材３４の第２突出部３４ｂがピン３３に引っ掛かり、さらなる引出し２０の押し込み動作に伴って、バネ３１は最も縮んだ状態から伸ばされてバネ力（復元力）を蓄積していく。そして、引出し２０の閉止状態においては、図３に示すように、ロック手段４０によって開放補助手段３０のバネ力が蓄積した状態（ロック状態）が保持される。
引出し２０が全閉付近のタイミングでロック手段４０が下方向に突き出ることにより、ばね力を蓄積した状態を保持する。次回検知部６１に触ることでロック手段４０は一時的に上方向へ移動し、ばね力の開放が開始され引出し２０が開き始める。
ロック手段４０は例えばソレノイドにより駆動され、通常時は下方向へ押されているが利用者が検知部６１に触れた時のみ通電し上方向へ一時的に移動する。
引出し２０が開放されると、図４および図５に示すようにバネ取付部材３４が引出し２０の底板２３に対してスライドする。このとき、バネ取付部材３４のベース部３４ｃはロック手段４０に重なる位置にあり、ロック手段４０の下方への突出はバネ取付部材３４のベース部３４ｃによって阻止される。
【００４３】
以上説明した実施形態によれば、バネ力を動力源とする開放補助手段３０を採用しつつも、利用者のタッチ操作により開放補助手段３０が起動するため、操作性に優れる。利用者が引出し２０を開ける際に引出し２０に押圧操作を加える必要がない。また、検知部６１にタッチセンサを採用することで、押しボタン特有のＯＮ／ＯＦＦに応じた凹凸状態の変化がなくデザイン性に優れる。
【００４４】
このように実施形態によれば、デザイン性を確保しつつ、操作性に優れた使い勝手の良い開放補助手段付きキャビネットを提供することができる。
【００４５】
検知部６１を取っ手に設けた構成では、引出し２０を開ける際に、利用者が取っ手を把持した手の位置を変えずに引出し２０を開放することが可能になり、使い勝手が良い。
【００４６】
特に、検知部６１を取っ手と一体にした構成では、検知部６１を取っ手としてデザインできるので、デザイン性に優れる。また、引出し２０を開けるときに、取っ手に手をかけた瞬間から引出し２０の開放補助が作動するので、自然な動作で引出し開放のアシスト力が得られる。
この際、利用者の意思で開放補助手段３０を作動しない選択を可能に設定するために、例えば、ロック手段４０を下方向に移動させ開放補助手段３０の利用の有無を切り替える電源スイッチを設けてもよい。そうすることにより、検知部６１を取っ手とした場合においても、利用者の意図しないタイミングでの引出し２０の開放を防止することも考えられる。
【００４７】
また、検知部６１を扉２１の幅と略同一幅で扉２１の幅方向（間口方向）に延在させることで、利用者は検知部６１の左右方向におけるどの位置からも操作可能であり、利用者自身が左右に移動する必要がない。すなわち、短い動線で操作可能であり、使い勝手が良い。
【００４８】
制御ユニット７４は、所定条件を満たす場合のみロック手段４０を作動させ開放補助手段３０を起動する電気的制御を行うことができる。これは、引出し２０の閉止時に意図せず利用者が検知部６１に触れた際に、引出し２０が誤って開いてしまうのを防止する。
【００４９】
制御ユニット７４は、上記所定時間として、例えば、利用者が検知部６１に触れている時間を計測する。利用者が検知部６１に触れている時間は、静電容量が変化している時間や、圧電素子に力が加えられて電圧が発生している時間に対応する。例えば、制御ユニット７４は、利用者が検知部６１に触れている時間が所定時間内であるときに、ロック手段４０を作動させ開放補助手段３０を起動する。例えば、制御ユニット７４は、利用者が検知部６１に触れている時間が所定時間以上経過したら、ロック手段４０を作動させ開放補助手段３０を起動する。
【００５０】
または、制御ユニット７４は、利用者が検知部６１に触れる回数を計測し、例えば、上記所定時間以内に所定回数タッチ操作があったときに、ロック手段４０を作動させ開放補助手段３０を起動する。
【００５１】
または、制御ユニット７４は、タッチセンサの感度に応じて、利用者の操作の有無を認識する。例えば、静電式センサの場合、制御ユニット７４は、利用者の皮膚が検知部６１に直接触れると操作を検知し開放補助手段３０を起動し、服などを挟んで皮膚が直接触れなかった場合には操作と認識せず開放補助手段３０を起動しない。
【００５２】
図６は、他の実施形態に係るキャビネット２の模式断面図である。図６は、固定枠体１０の内部に引出し２０が収納された引出し閉止状態を表す。
【００５３】
図６に示す例では、引出し２０の背板２２の背面に第１の電気接点７１が設けられている。閉止状態における引出し２０の背板２２の後方に制御ユニット７４が設けられ、その制御ユニット７４の近傍に、または制御ユニット７４に一体に第２の電気接点７２が第１の電気接点７１に対向するように設けられている。
【００５４】
始動スイッチ６０の検知部６１は、引出し２０に設けられた電気配線７６を通じて、第１の電気接点７１と電気的に接続されている。第２の電気接点７２は、電気配線を通じて制御ユニット７４と電気的に接続されている。または、第２の電気接点７２は、制御ユニット７４の基板に設けられている。その他の構成は、前述した実施形態と同じである。
【００５５】
図６に示す例においても、第２の電気接点７２は固定側の要素である固定枠体１０に設けられているのに対し、第１の電気接点７１は可動側の要素である引出し２０に設けられている。したがって、引出し２０の開閉に連動して、第１の電気接点７１と第２の電気接点７２とは互いに接続または離間する。
【００５６】
すなわち、引出し２０の閉止時のみ、第１の電気接点７１と第２の電気接点７２とが互いに接続し、利用者が検知部６１に触れた信号を受けて制御ユニット７４はロック手段４０を解除して、開放補助手段３０を起動する。開放状態では、引出し２０に設けられた第１の電気接点７１が、固定枠体１０に設けられた第２電気接点７２から離間し、利用者が検知部６１に触れても、開放補助手段３０は起動しない。
【００５７】
また、第１の電気接点７１、第２の電気接点７２、および制御ユニット７４が、引出し２０の背板２２よりも後方の位置（引出し２０を開けても見えない位置）に設けられているため、美観を損ねない。
【００５８】
図７（ａ）〜（ｄ）は、始動スイッチ６０の検知部６１の変形例を表す模式断面図である。
【００５９】
図７（ａ）に示す例では、検知部６１は、引出し２０の扉２１の前面に重なる部分（取っ手となる部分）を持たない平板形状で扉２１の上端に設けられている。引出し２０はタッチ操作で開放されるので、取っ手は無くてもよく、取っ手の無い扉２１はデザイン性を高くできる。
【００６０】
検知部６１は引出し２０ではなく、固定枠体１０に設けてもよい。図７（ｂ）〜（ｄ）には、例えば固定枠体１０の天板１１に検知部６１を設けた例を表す。
【００６１】
図７（ｂ）に示す例では、天板１１の前端近傍の下面に検知部６１を設けている。検知部６１の前端は天板１１の前端よりも前方に突出している。または、図７（ｃ）に示すように、検知部６１の前端と天板１１の前端とを略面一に揃えてもよい。
【００６２】
図７（ｄ）に示す例では、天板１１の前端およびその前端から続く下面に検知部６１を設けている。
【００６３】
図８は、固定枠体１０の天板１１に検知部６１を設けた実施形態（例えば図７（ｄ）に示す形態）に係るキャビネット３の模式断面図である。図８は、固定枠体１０の内部に引出し２０が収納された引出し閉止状態を表す。
【００６４】
検知部６１は、電気配線７７を通じて制御ユニット７４と接続されている。図６に示す実施形態と同様、引出し２０の背板２２の背面に第１の電気接点７１が設けられている。閉止状態における引出し２０の背板２２の後方に制御ユニット７４が設けられ、その制御ユニット７４の近傍に、または制御ユニット７４に一体に第２の電気接点７２が第１の電気接点７１に対向するように設けられている。
【００６５】
引出し２０の閉止状態において、検知部６１が利用者に触れられることで発生する電気信号は、電気配線７７を通じて制御ユニット７４に伝達する。制御ユニット７４は、この信号（操作信号）を受けて、ロック手段４０を作動させる信号（ロック解除信号）を、第２の電気接点７２、第１の電気接点７１、および電気配線７６を通じて、ロック手段４０に送る。
【００６６】
引出し２０が固定枠体１０から引き出されると、引出し２０の背板２２に設けられた第１の電気接点７１が、固定側に設けられた第２の電気接点７２から離間し、制御ユニット７４とロック手段４０とが電気的に遮断される。この状態では、利用者が検知部６１に触れても、制御ユニット７４からロック手段４０にロック解除信号が伝達せず、ロック手段４０は作動しない。
【００６７】
検知部６１を固定枠体１０に設けた構成では、検知部６１およびその検知部６１と制御ユニット７４とを接続する配線、検知部６１を電源ユニット８０と接続する配線も固定側の要素である固定枠体１０に設けることができ、引出し２０の開閉動作に影響されずに配線の取り回しが容易となる。
【００６８】
以上、具体例を参照しつつ本発明の実施形態について説明した。しかし、本発明は、それらに限定されるものではなく、本発明の技術的思想に基づいて種々の変形が可能である。
【符号の説明】
【００６９】
１〜３…キャビネット、１０…固定枠体、２０…引出し、３０…開放補助手段、３１…バネ、３３…ピン、３４…バネ取付部材、４０…ロック手段、６０…始動スイッチ、６１…検知部、７４…制御ユニット、８０…電源ユニット
【図１】
2020032042.tif 000003
【図２】
2020032042.tif 000004
【図３】
2020032042.tif 000005
【図４】
2020032042.tif 000006
【図５】
2020032042.tif 000007
【図６】
2020032042.tif 000008
【図７】
2020032042.tif 000009
【図８】
2020032042.tif 000010